(57)【要約】      （修正有）【課題】装飾効果を有し、故人との別れを美しく演出する模様等をあしらった幎目を提供することにある。【解決手段】遺体の顔を覆う布からなる幎目１において、前記幎目の表面の任意の位置に模様２等があしらわれていることを特徴とし、前記模様等は、花、仏像、家紋若しくは戒名、又はこれらの組み合わせからなる。模様等の装飾を施すことにより、故人に対して畏敬の念を表わし、故人に対して丁重に接することができ、故人との別れを美しく演出することができる。【選択図】図１
0003106996.tif 000002
【実用新案登録請求の範囲】
【請求項１】
遺体の顔を覆う布からなる幎目において、前記幎目の表面の任意の位置に模様等があしらわれていることを特徴とする模様をあしらった幎目。
【請求項２】
前記模様等は、花、仏像、家紋若しくは戒名、又はこれらの組み合わせからなることを特徴とする請求項１記載の模様をあしらった幎目。
【請求項３】
前記模様等は、レーザ光照射加工により幎目の表面に形成されたものであることを特徴とする請求項１又は請求項２記載の模様をあしらった幎目。
【請求項４】
前記模様等は、刺繍、模様織、透かし織り又はオパール加工により幎目の表面に形成されたものであることを特徴とする請求項１又は請求項２記載の模様をあしらった幎目。
【請求項５】
前記模様等は、プリントにより幎目の表面に形成されたものであることを特徴とする請求項１又は請求項２記載の模様をあしらった幎目。
【請求項６】
前記模様等は、ブラスト加工により幎目の表面に形成されたものであることを特徴とする請求項１又は請求項２記載の模様をあしらった幎目。
【請求項７】
前記模様等は、化学反応による加工により幎目の表面に形成されたものであることを特徴とする請求項１又は請求項２記載の模様をあしらった幎目。
【考案の詳細な説明】
【技術分野】
【０００１】
本発明は、遺体の顔に被せる幎目の改良に関するものであり、特に、表面に模様等をあしらった幎目に関するものである。
【背景技術】
【０００２】
通夜又は葬儀前には、遺体の顔に白い布からなる幎目が被せられている。この幎目は、通夜等の参列者に故人の顔が直接見えることによって生ずる感情の変化等を防ぐために使用されている。
【考案の開示】
【考案が解決しようとする課題】
【０００３】
しかしながら、従来から用いられている幎目は、白い布のみで装飾が全く施されていなかった。一方、遺体が着用する経帷子等には、故人をともらい、遺体を華麗に見せる演出として装飾が施されたものが実用されている。
【０００４】
本考案は、上記状況に鑑みてなされたものであり、故人に対する畏敬の念を表わし、故人に対して丁重に接する心構えをなし、故人との別れを美しく演出する模様等をあしらった幎目を提供することを目的とするものである。
【課題を解決するための手段】
【０００５】
上記課題を解決するためにこの考案は、永眠された遺体の顔を覆う布からなる幎目において、前記幎目の表面の任意の位置に模様等があしらわれていることを特徴とする。
【０００６】
また、前記模様等は、花、仏像、家紋若しくは戒名、又はこれらの組み合わせからなることが好ましい。また、前記模様等は、レーザ光により幎目の表面の一部を削り取って形成されたものや、刺繍、模様織、透かし織り又はオパール加工により幎目の表面に形成されたもの、さらに、プリントにより幎目の表面に形成されたものであっても良い。
また、前記模様等は、ブラスト加工により幎目の表面に形成されたものであっても良く、また前記模様等は、化学反応による加工により幎目の表面に形成されたものであっても良い。
【考案の効果】
【０００７】
上記の如く構成する本考案によれば、模様等の装飾を施すことにより、故人に対して畏敬の念を表わし、故人に対して丁重に接することができ、故人との別れを美しく演出することができるという効果も有するものである。
【考案を実施するための最良の形態】
【０００８】
次に、この考案の実施形態を図面を参照しながら説明する。
ここで、図１は本考案に係る模様等をあしらった幎目の平面図である。図２（ａ），（ｂ）は本考案に係る模様等をあしらった幎目の他の実施形態を示した平面図である。
【０００９】
図において符号１は、遺体の顔を覆う幎目を示している。この幎目１は、綿、絹（シルク）、ナイロン、レーヨン等の一般的な素材からなり、その表面の任意の位置には菊の花の模様２があしらわれている。この菊の花の模様２は、レーザ光を用いて幎目の表面の一部を彫刻のように削り取ることによって形成したものである。
【００１０】
特に、素材が天然シルク繊維の場合、その断面は三角形状をしている。しかも、天然シルクの場合、撚れているため、レーザ光を受ける角度が変化する。即ち、レーザ光照射により、天然シルク素材に模様を形成すると、可視光線を吸収する部分と乱反射する部分が形成される。
その結果、見る角度によって、前記模様が透かし彫りに見えたり、あるいは白く浮き上がって見えるため、本考案の素材としては好適である。
【００１１】
なお、幎目１の平面形状は四角形のものに限らず、四隅に丸みを持たせたものや、円形、楕円形、多角形のものであっても良い。また、幎目の表面に形成される花の模様２は、菊の花に限らず、蓮や雛罌粟の花、故人が好きだった花を用いても良い。
【００１２】
また、本考案の他の実施例として、図２（ａ）に示すように、幎目１の表面に形成される模様２を仏像としても良く、図２（ｂ）に示すように、故人の家紋としたものであっても良い。さらに、図面としては記載していないが、模様に限らず、故人の戒名、氏名、言葉等を記載した文字であっても良い。さらにまた、花、仏像、家紋又は戒名の組み合わせてなる模様等であっても良い。
更に、図３、図４に示すように、幎目１の中央部分に、仏像、花の模様を形成しても良い。
【００１３】
また、上記実施形態では模様２をレーザ光により形成したが、刺繍、模様織、透かし織り、オパール加工などにより模様を形成したものであっても良いことは言うまでもない。
また、前記模様等は、ブラスト加工により幎目の表面に形成されたものであっても良く、また前記模様等は、化学反応による加工により幎目の表面に形成されたものであっても良い。
さらに、プリントにより模様２を形成したものであっても良く、特に、既製のアイロンプリント用の用紙にパソコンを介してインクジェットプリンタにより模様２を形成し、これを幎目１にアイロンプリントしたものであっても良い。この方法を用いれば、故人の好きな花や戒名など、早急に対応しなければならないものであっても対応が可能となる。
【産業上の利用可能性】
【００１４】
本発明に係る模様等をあしらった幎目は、遺族が故人を偲ぶ遺品として、仏壇等に飾ることもできる。
なお、本発明に係る模様等をあしらった幎目は、上記実施形態に何ら限定されるものではなく、これらの記載から当業者が容易に導き出すことができる技術をも含むものである。
【図面の簡単な説明】
【００１５】
【図１】本考案に係る模様等をあしらった幎目の平面図である。
【図２】本考案に係る模様等をあしらった幎目の他の実施形態を示した平面図である。
【図３】本考案に係る模様（仏像）をあしらった幎目の他の実施形態を示した平面図である。
【図４】本考案に係る模様（花）をあしらった幎目の他の実施形態を示した平面図である。
【符号の説明】
【００１６】
１    幎目
２    模様
【図１】
0003106996.tif 000003
【図２】
0003106996.tif 000004
【図３】
0003106996.tif 000005
【図４】
0003106996.tif 000006